(57)【要約】      （修正有）【課題】ビニールハウス栽培における潅水チューブ散水孔が土壌や作物の根で目詰まりしないようにし、余剰の配管を省略しても環境制御やＣＯ2の供給ができるようにした潅水チューブの配設並びに環境制御方法を提供する。【解決手段】園芸施設内に設置された培地を有する栽培ベッド１にマルチシート５で覆われて配設される潅水チューブ３であって、該潅水チューブは円弧状の複数の支持部材４により培地との間に所要の空間部をもって上方に配設され、該空間部に環境制御装置およびＣＯ2の供給装置のパイプを臨ませて環境制御を行うようにした。【選択図】図１
2020068731.tif 000002
【特許請求の範囲】
【請求項１】
園芸施設内に設置された培地を有する栽培ベッドにマルチシートで覆われて配設される潅水チューブであって、
該潅水チューブは円弧状の複数の支持部材により培地との間に所要の空間部をもって上方に配設されること
を特徴とする園芸施設における潅水チューブの配設方法。
【請求項２】
前記支持部材は針金及び／または樹脂で形成されていること
を特徴とする請求項１に記載の園芸施設における潅水チューブの配設方法。
【請求項３】
園芸施設内に設置された培地を有する栽培ベッドにマルチシートで覆われて配設される潅水チューブであって、
該潅水チューブは円弧状の複数の支持部材により培地との間に所要の空間部をもって上方に配設され、
該円弧状の空間部に環境制御装置およびＣＯ2 の供給装置のパイプを臨ませて環境制御を行うこと
を特徴とする園芸施設における環境制御方法。
【発明の詳細な説明】
【技術分野】
【０００１】
本発明は、種々の農作物を栽培するためのビニールハウスに代表される園芸施設における潅水チューブの配設並びに環境制御方法に関するものである。
【背景技術】
【０００２】
この種の園芸施設としては、複数の施設が公知技術として知られており、潅水チューブの配設については、第１の公知技術がある。この公知技術は、硬質合成樹脂を素材として外周面に多数の孔（１）を開孔した適当高巾長さの角型パイプ（２）を形成し、該角型パイプ（２）の上面中央部に中心線と平行な切れ目（３）を設けて潅水チューブ（４）を挿入することを特徴として成る、施設園芸ビニールハウスにおける潅水チューブの保護パイプ、（特許文献１）である。
【０００３】
この第１の公知技術に係る潅水チューブの保護パイプ（５）は、床土の畝（６）の上に設置し、該保護パイプ（５）内に挿通させて潅水チューブ（４）を設けたものであり、潅水チューブ（４）は直接床土にまみえることなく、散水用の微小穴（８）への床土の付着或いは潅水チューブ（４）の踏み潰しや折れ曲がり等が防止され、潅水チューブ（４）内へ水や液肥を送給すると、保護パイプ（５）内で潅水チューブは円型に膨張すると共に微小孔（８）より噴射された水は、ネット状の多数の孔（１）より畝（６）の床土内へ効率的に浸潤してゆくものである、というものである。
【０００４】
ハウス内の環境制御については第２の公知技術がある。この公知技術は、ハウス栽培施設（ＢＨ）において、電気加熱式温水器（Ｈ１、Ｈ２）の入側に温水管（ＩＮ）を接続すると共に出側に排出管（ＯＵＴ）を接続し、前記排出管（ＯＵＴ）に気液間接熱交換機（ＨＥ）と冷水供給可能にしたクッションタンク（ＣＴ）と循環ポンプ（Ｐ１）を順次介して前記給水管（ＩＮ）を連通接続して温水・冷水循環装置を構成し、及び電気加熱式温水器（Ｈ１、Ｈ２）とクッションタンク（ＣＴ）との間にハウス栽培施設（ＢＨ）内の培地（Ｇ）に配置した加温パイプ（ＨＰ）に温水を循環可能に連通接続して培地温度調整装置を構成し、前記気液間接熱交換機（ＨＥ）の気体入側の吸引ダクト（ＷＤ１）に風量調整ダンバー（ＳＤ）を介して送風機（ＤＣＦ）を接続すると共に気体出側の送風ダクト（ＷＤ２）をハウス栽培施設（ＢＨ）に連通接続して温風・冷風供給装置を構成し、気液間接熱交換機（ＨＥ）には冷水又は温水を循環供給可能にしたことを特徴とするハウス栽培施設の空調・培地温度調節装置、（特許文献２）である。  
【０００５】
この第２の公知技術に係るハウス栽培施設の空調・培地温度調節装置は、前記コンパクトで簡易な構成により、ボイラー運転時のような騒音もなく、取扱いも容易で殆んどメンテナンスフリーで、且つ燃料補充することなく、且つ高いエネルギー効率により、ハウス栽培施設内空気及び培地の温度を季節に応じ且つ栽培植物の種類に応じた適切な温度に維持管理する。これにより光合成を活発にすると共に植物の葉及び根を適温に温め施設園芸における植物の生育を促進し、葉、根、果実等の成長を助長して、農産物の収穫量を増大させることを有利に可能にしたものである、というものである。
【０００６】
さらに、この種のハウス栽培施設において、実際に実施されている周知の潅水チューブ等の配管例を示した図５について説明する。栽培ベッド２１に収容した培地２２の上に潅水チューブ２３を直接配設すると共に、夏季及び冬季において培地２２や周囲の温度、即ち環境制御のための冷却・温湯管２４も隣接状態で配設し、これら培地２２、潅水チューブ２３及び冷却・温湯管２４をカバーするマルチシート（ビニールシート）２５を被覆し、該マルチシート２５に所要の孔を開けて培地２２に栽培用植物２６を植え付け、さらにマルチシート２５の上にはＣＯ2 供給管２７を配設している。
【先行技術文献】
【特許文献】
【０００７】
【特許文献１】特開昭５７−７９８２３号の公開公報
【特許文献２】実用新案登録第３１９５４３４号の登録実用新案公報
【発明の概要】
【発明が解決しようとする課題】
【０００８】
前記第１の公知技術の発明においては、多数の孔を有する角型の保護パイプを床土の畝の上に直接設置し、該保護パイプ内に散水用の微小孔を有する潅水チューブを挿通させて設けたものであるが、潅水チューブが床土上に接触する状態であるため、栽培植物の根が給水する水の方に必然的に延びて微小孔に入り込むようになり、微小孔が目詰まりして給水できなくなるという問題点（課題）を有している。
【０００９】
また、前記第２の公知技術の考案においては、ハウス外に設けた栽培施設の空調・培地温度調節装置によって、電気的にハウス内の環境を制御するというものであるが、水や液状肥料を供給する潅水チューブの配設について何ら記載されていないばかりでなく、植物にとって必要なＣＯ2 の供給配管についても記載されていないため、実質的に環境管理だけでは農産物の収穫量を増大させることはできないという問題点（課題）を有している。
【００１０】
さらに、前記周知例においては、潅水チューブ２３を培地２２の上に直接配設しているため、植物２６の根が潅水チューブ２３の散水孔やスリットに入り込んで目詰まりさせてしまったり、さらに、各栽培ベッドごとに環境制御用の配管が必要になり、施設における余剰の配管が必要であって配管のコストが増加するという問題点（課題）を有している。
【００１１】
本発明は、前記課題を解決するために、潅水チューブ散水孔が土壌や作物の根で目詰まりしないように配設すると共に、余剰の配管を省略しても環境制御やＣＯ2 の供給ができるようにした園芸施設における潅水チューブの配設並びに環境制御方法を提供することを目的とするものである。
【課題を解決するための手段】
【００１２】
本発明は前述の課題を解決する具体的手段として、園芸施設内に設置された培地を有する栽培ベッドにマルチシートで覆われて配設される潅水チューブであって、該潅水チューブは円弧状の複数の支持部材により培地との間に所要の空間部をもって上方に配設されることを特徴とする園芸施設における潅水チューブの配設方法、並びに、園芸施設内に設置された培地を有する栽培ベッドにマルチシートで覆われて配設される潅水チューブであって、該潅水チューブは円弧状の複数の支持部材により培地との間に所要の空間部をもって上方に配設され、該円弧状の空間部に環境制御装置およびＣＯ2 の供給装置のパイプを臨ませて環境制御を行うことを特徴とする園芸施設における環境制御方法を提供するものである。
【００１３】
上記発明において、前記支持部材は針金及び／または樹脂で形成されていること；を付加的要件として含むものである。
【発明の効果】
【００１４】
本発明に係る潅水チューブの配設方法によれば、潅水チューブは円弧状の複数の支持部材により培地との間に所要の空間部をもって上方に配設されるので、潅水チューブの散水孔やスリットに土壌や根が浸入することがなく、目詰まりする可能性を排除し、さらに、環境制御方法によれば、支持部材により潅水チューブを持ち上げて形成された円弧状の空間部を環境制御に利用できるので、余剰の環境制御のためのパイプ配管を省略でき、設備費のコストダウンを図ることができる等の種々の優れた効果を奏するのである。
【図面の簡単な説明】
【００１５】
【図１】本発明の実施の形態に係る園芸施設における潅水チューブの配設状況を示した栽培ベッドの一端部側から見た側面を略示的に示した側面図である。
【図２】同栽培ベッドの長さ方向の一部を略示的に示した側面図である。
【図３】同栽培ベッドのマルチシートに所要の孔を開けて培地に栽培用植物を植え付けた状況を示した一端部側から見た側面を略示的に示した側面図である。
【図４】同栽培ベッドの一端部側に環境制御装置やＣＯ2 の供給装置を設置した状況を略示的に示した長さ方向の一部の側面図である。
【図５】この種のハウス栽培施設において、実際に実施されている周知の潅水チューブ等の配管例を略示的に示した一端部側から見た側面図である。
【発明を実施するための形態】
【００１６】
本発明を図示の実施の形態に基づいて詳しく説明する。まず、図１、２に示した栽培ベッド１は、一般的にビニールハウスに代表される園芸施設内に複数個が隣接状態に密集して設置されるものであって、該栽培ベッド１内には培地２が収容されており、該培地２に水や液状肥料を供給するための潅水チューブ３を配設（配管）するにあたって、培地２上に直接載置しないで、支持部材４により所要間隔（空間部）をもって培地２の上方に配管する。
【００１７】
前記支持部材４としては、例えば、針金を半円弧状に加工すると共に円弧の頂部を凹ませて凹状支持部４ａとし、該支持部材４を栽培ベッド１の長さ方向の上部に所要間隔をもって取り付け、支持部材４の両脚部を栽培ベッド１の両側の側壁上部に係合固定させて半円弧状が維持されるように取り付け、前記凹状支持部４ａに潅水チューブ３を乗せて支持させることにより培地２との間に所要の空間部をもって配管する。
【００１８】
さらに、潅水チューブ３と支持部材４の上部を覆うようにマルチシート（ビニールシート）５を配設する。なお、前記支持部材４としては針金の外に、例えば、強靭なプラスチック材で型成型した樹脂製のものも使用できる。そして、潅水チューブ３には水や液状肥料が水滴状６に滴下する複数の小孔が所要間隔をもって形成されており、前記被覆させたマルチシート５の両端部は開放状態になっている。
【００１９】
このように、培地２の上方に空間部をもって潅水チューブ３を配管した栽培ベッド１に対して、図３に示したように、栽培しようとする農作物、例えば、イチゴ等の苗７をマルチシート５に所要の間隔で所要の大きさの孔を開けて培地２に植え付け、適宜に水や液状肥料をやりながら適宜の期間に亘ってビニールハウス内で栽培するので、潅水チューブ３は、土壌や培地２から隔離した状態で配設され、散水孔やスリットに土壌や根が浸入することがなく、目詰まりする可能性を排除しているのである。
【００２０】
ところで、ビニールハウスの栽培の効率を安定させるためには、地域によってハウス内の環境を制御しなければならないのである。例えば、冬季と夏季では温度を上げたり下げたりしなければならないし、植物に必要なＣＯ2 の供給も行わなければならないのである。そのために、図４に示したように、本願発明では、既設の環境制御装置およびＣＯ2 の供給装置８を利用し、該装置８をハウス内に設置したことで、該装置からの送気パイプ９をマルチシート５の開口部に臨ませて円弧状の空間部を環境制御パイプの代わりに利用するのである。
【００２１】
つまり、冬季においては、環境制御装置８から暖かい空気を送風すると共に、必要と認められる暖かい所要量のＣＯ2 の供給もできるようにし、夏季においては、これとは逆に冷たい空気を送風すると共に、必要と認められる冷たい所要量のＣＯ2 の供給もできるようにしたのである。いずれにしても、これらの供給においては、別段のパイプを必要とせずに、円弧状に囲ったマルチシート５が送気パイプの役目を果たし、しかも、苗を植えた培地２自体を速やかに加温または冷却できると共に、苗を植えるために開けた多数の孔から、ハウス内にも送気されるので、ハウス内の温度も効率よく加温又は冷却できるのであり、それによってシーズンを通して栽培植物の育成に適した環境に制御できるので、設備コストを安価にすることができる。
【００２２】
前記した環境制御装置およびＣＯ2 の供給装置８については、例えば、送気パイプ９を複数本設けることによって、隣接する複数の栽培ベッド１に同時に送気することができ、少ない台数の装置であっても広いハウス内の環境制御を効率良く行うことができるのである。なお、本願発明は、栽培ベッドに限らず床土の畝にも適用できることは言うまでもないことである。
【産業上の利用可能性】
【００２３】
本発明に係る園芸施設における潅水チューブの配設方法は、園芸施設内に設置された培地を有する栽培ベッドにマルチシートで覆われて配設される潅水チューブであって、該潅水チューブは円弧状の複数の支持部材により培地との間に所要の空間部をもって上方に配設されることにより、栽培される植物の根が潅水チューブ３の散水孔に入り込むことがないので、目詰まりトラブルを避けることができるし、さらに、園芸施設における環境制御方法は、潅水チューブを円弧状の支持部材で持ち上げて培地との間に円弧状の空間部を形成し、該円弧状の空間部に環境制御装置およびＣＯ2 の供給装置のパイプを臨ませて環境制御を行うようにしたので、余剰の環境制御のためのパイプ配管を省略でき、設備費のコストダウンを図ることができると共に、収穫量を大幅に増加させることができるので、この種のハウス栽培において広い範囲で使用可能である。
【符号の説明】
【００２４】
１  栽培ベッド
２  培地
３  潅水チューブ
４  支持部材
４ａ  凹状支持部
５  マルチシート
６  水滴状
７  苗
８  環境制御装置およびＣＯ2 の供給装置
９  パイプ
【図１】
2020068731.tif 000003
【図２】
2020068731.tif 000004
【図３】
2020068731.tif 000005
【図４】
2020068731.tif 000006
【図５】
2020068731.tif 000007